(57)【要約】【課題】不正防止効果を高く維持しつつ放熱効果の高い遊技機用基板ケースを提供する。【解決手段】サブ基板ケース２０内のサブ基板３９にあって、遊技抽選に関わらない非抽選関与部品４２ａの発熱素子が含まれている発熱領域が定められており、該発熱領域を含む放熱重点空間３２が壁部４０，５０によって区画形成されている。また、該放熱重点空間３２に対応する位置には、放熱用開口部５１が形成されている。発熱領域で発生した熱を持った空気は他の領域に到達することを壁部４０，５０によって阻止されており、前記放熱用開口部５１を介して外部に排気される。【選択図】図１１
2015196099.tif 000002
【特許請求の範囲】
【請求項１】
第一基板収容部材と、該第一基板収容部材に組み付けられる第二基板収容部材とを備え、該第一基板収容部材と該第二基板収容部材とが互いに組み付けられることで、該第一基板収容部材と該第二基板収容部材とで構成される内部空間に、遊技機用の基板が配置されると共に、該基板の一側面に第一基板収容部材及び第二基板収容部材のうち一方が配置され、かつ該基板の他側面に他方が配置される遊技機用基板ケースであって、
前記基板には、該基板に実装された遊技抽選に関わらない非抽選関与部品における発熱素子が含まれている発熱領域が定められ、
また該第一基板収容部材の内周面及び該第二基板収容部材の内周面には、該第一基板収容部材と該第二基板収容部材とが互いに組み付けられた状態で前記基板に向かって各々突出し、かつ該基板の表裏にまで臨んでいる隔壁部がそれぞれ設けられ、当該各隔壁部によって当該基板ケースの内部空間には該発熱領域を含む放熱重点空間が区画形成されて、該放熱重点空間と該放熱重点空間以外の空間との間で該各隔壁部により空気流通が抑制されており、
さらに該第一基板収容部材及び該第二基板収容部材には、前記放熱重点空間と当該基板ケースの外部空間との空気流通を可能にする放熱用開口部が各々設けられている
ことを特徴とする遊技機用基板ケース。
【請求項２】
前記放熱重点空間における発熱領域に含まれる発熱素子の最高温度が、該放熱重点空間以外の空間内に配された発熱素子の最高温度より高い
請求項１に記載の遊技機用基板ケース。
【請求項３】
前記第一基板収容部材及び前記第二基板収容部材に突設された隔壁部の先端部が、先端側に凸となる曲面形状をなしており、かつ前記基板が、該各隔壁部の先端部によって表裏から挟持されている
請求項１又は請求項２に記載の遊技機用基板ケース。
【請求項４】
前記第一基板収容部材の前記放熱用開口部及び／又は前記第二基板収容部材の前記放熱用開口部には、不正行為防止手段が設けられている
請求項１乃至請求項３のいずれか１項に記載の遊技機用基板ケース。
【請求項５】
前記放熱用開口部は、前記第一基板収容部材及び／又は前記第二基板収容部材に対して貫通状に開口されており、前記放熱用開口部における内周面側に形成された開口面を内側開口面とし、外周面側に形成される開口面を外側開口面とした構成にあって、
前記不正行為防止手段は、
前記放熱用開口部における前記内側開口面の開口方向と、前記外側開口面の開口方向とが異なる方向となるように定められた開口部構造である
請求項４に記載の遊技機用基板ケース。
【請求項６】
前記放熱用開口部の周壁には、前記内側開口面から前記外側開口面にわたって形成されたリブが設けられており、
該リブによって該放熱用開口部が複数の開口に区画形成されている
請求項５に記載の遊技機用基板ケース。
【発明の詳細な説明】
【技術分野】
【０００１】
本発明は、例えばパチンコ機やスロットマシンなどの遊技機に用いられる基板ケースに関する。
【背景技術】
【０００２】
従来、パチンコ機やスロットマシンなどの遊技機には、種々の電子部品が実装された基板が備えられていることはよく知られている。具体的に、該基板には、メイン基板と、サブ基板とがあり、該メイン基板には、主に遊技の抽選（当落判定）に関与する実装部品（ＲＯＭ，ＲＡＭ，ＣＰＵ等）が配設されている。これに対し、サブ基板には、メイン基板から送信されたデータを受信して、例えばＢＧＭ等の音響、演出ランプの点滅、あるいは液晶画面の演出等の作動を行う実装部品（音源ＩＣ等）が主に配設されている。さらに、かかるメイン基板やサブ基板は、不正行為防止を主目的として、各々基板ケースに収容されていることもよく知られている。
【０００３】
ところで、近年、遊技者が興味を引くような迫力ある演出が強く求められており、これに伴い前記サブ基板に取り付けられる実装部品が高性能化し、結果として該実装部品が高温を発するために、基板ケース内の温度を下げるための放熱対策が種々施されている。
【０００４】
例えば、上記放熱対策として、基板ケースに通風孔を設け、該基板ケースの内外で空気を流通させて好適に放熱を行う構成が提案される。しかしながら、単に基板ケースに通風孔を開けただけの構造であると、該通風孔から簡単に針金等が差し入れられ、不正行為が容易に行われてしまうという問題を招く。
【０００５】
このため、かかる問題を解決しようとする構成として、例えば特許文献１に開示されるような構造が提案されている。この特許文献１に開示されている構成は、基板ボックス（基板ケース）に放熱部を設けるとともに、放熱部に内側遮蔽部と外側遮蔽部と連接部とを設け、通気孔を基板ボックスの内側から外側へクランク状に連通させ、内側から外側に向って直線状に開口する部分がない構造を備えたものである。かかる構成によれば、放熱効果が得られるとともに、針金等の不正器具を基板ボックス内に挿入する不正行為を阻止することができる。
【先行技術文献】
【特許文献】
【０００６】
【特許文献１】特開２００８−３０７１７０号公報
【発明の概要】
【発明が解決しようとする課題】
【０００７】
しかしながら、特許文献１に開示された構成は、不正行為防止効果は高いが、放熱部における遮蔽部分の割合が高く、さらに通気孔がクランク状に連通しているために、放熱効果が十分に発揮されないという問題があった。
【０００８】
そこで、本発明は、放熱効果を十分に発揮できるとともに不正行為防止効果も高い遊技機用基板ケースを提供することを目的とする。
【課題を解決するための手段】
【０００９】
本発明は、第一基板収容部材と、該第一基板収容部材に組み付けられる第二基板収容部材とを備え、該第一基板収容部材と該第二基板収容部材とが互いに組み付けられることで、該第一基板収容部材と該第二基板収容部材とで構成される内部空間に、遊技機用の基板が配置されると共に、該基板の一側面に第一基板収容部材及び第二基板収容部材のうち一方が配置され、かつ該基板の他側面に他方が配置される遊技機用基板ケースであって、前記基板には、該基板に実装された遊技抽選に関わらない非抽選関与部品における発熱素子が含まれている発熱領域が定められ、また該第一基板収容部材の内周面及び該第二基板収容部材の内周面には、該第一基板収容部材と該第二基板収容部材とが互いに組み付けられた状態で前記基板に向かって各々突出し、かつ該基板の表裏にまで臨んでいる隔壁部がそれぞれ設けられ、当該各隔壁部によって当該基板ケースの内部空間には該発熱領域を含む放熱重点空間が区画形成されて、該放熱重点空間と該放熱重点空間以外の空間との間で該各隔壁部により空気流通が抑制されており、さらに該第一基板収容部材及び該第二基板収容部材には、前記放熱重点空間と当該基板ケースの外部空間との空気流通を可能にする放熱用開口部が各々設けられていることを特徴とする遊技機用基板ケースである。
【００１０】
かかる構成にあっては、前記放熱用開口部を介して、前記放熱重点空間と、当該基板ケースの外部の空間との空気流通が可能であるため、前記発熱領域に配置された発熱素子から発せられる熱を外部へ好適に放出することができる。しかも、該放熱用開口部は、第一基板収容部材及び第二基板収容部材の両方に設けられているため、基板の表側からも裏側からも効率良く放熱が可能である。また、前記第一基板収容部材の隔壁部と前記第二基板収容部材の隔壁部とによって当該基板ケース内が仕切られ、該基板ケースの内部空間において該放熱重点空間と該放熱重点空間以外の空間との間で空気の流通が困難となるため、前記発熱素子によって熱せられた空気が当該基板ケース内の他の領域にまで及ぶことを抑制することができる。さらに、抽選関与部品は該放熱重点空間には配されておらず、非抽選関与部品のみが放熱重点空間に配されているため、不正行為に対する安全性が極めて高い構成となっている。しかも、前記隔壁部によって、該放熱重点空間と抽選関与部品が配される空間とが遮断されているため、仮に不正器具が放熱用開口部を介して基板ケース内に侵入したとしても、該隔壁部によって抽選関与部品が配置される箇所まで該不正器具が到達することができず、より一層不正行為が好適に防止されている。
【００１１】
なお、本発明における「非抽選関与部品」とは、遊技の抽選には直接関わらない、例えばＢＧＭ等の音響、演出ランプの点滅、液晶画面の演出等の作動を行う遊技者の利益に関与しない実装部品（音源ＩＣや音を増幅させるアンプ等）のことであり、またそのなかで特に実装部品における発熱部分を構成するものが本発明にかかる発熱素子とされる。したがって本発明は、放熱用開口部が設けられる放熱重点空間に非抽選関与部品のみが配置される構成であるため、仮に該放熱用開口部を介して不正行為が行われたとしても、遊技の抽選に悪影響が及ばない。
【００１２】
また、前記放熱重点空間における発熱領域に含まれる発熱素子の最高温度が、該放熱重点空間以外の空間内に配された発熱素子の最高温度より高いことが望ましい。
【００１３】
かかる構成とすることにより、最も放熱（冷却）が求められる発熱素子に対して効率良く放熱することができる。ここで、遊技機における発熱素子にあっては、通常遊技中とボーナス遊技（当選遊技）中とでそれぞれ発熱温度が異なってくる場合があるが、上記のように遊技機稼働中における各発熱素子の最高温度を基準として発熱素子の配置を定める構成とすることにより、実装部品の配置設計を簡便なものとしつつ、効果的な放熱対策が実現可能となる。
【００１４】
また、前記第一基板収容部材及び前記第二基板収容部材に突設された隔壁部の先端部が、先端側に凸となる曲面形状をなしており、かつ前記基板が、該各隔壁部の先端部によって表裏から挟持されている構成が提案される。
【００１５】
かかる構成にあっては、隔壁部の先端部が基板に当接するため、該隔壁部と該基板等で囲繞される前記放熱重点空間が、より一層気密化された閉塞空間となる。したがって、放熱重点空間内の空気が他の領域にまで及ぶことをより一層確実に抑制することができる。また、これと共に、不正行為に対する安全性が大幅に向上することになる。また、隔壁部の先端部が、先端側に凸となる曲面形状をなしていると、隔壁部の起立方向が基板の基板面に対して正確に垂直となっていない場合であったり、隔壁部の壁高さに多少の寸法誤差が生じたりしていても、該基板に対して該先端部が線接触しやすくなり、第一基板収容部材、第二基板収容部材あるいは基板の製造時における寸法精度を効果的に緩和することが可能となる。
【００１６】
さらに、前記第一基板収容部材の前記放熱用開口部及び／又は前記第二基板収容部材の前記放熱用開口部には、不正行為防止手段が設けられていることが望ましい。
【００１７】
かかる構成とすることにより、前記放熱用開口部を介して基板ケース内に不正器具を差し入れられてしまうことを好適に防止することができる。
【００１８】
また、前記放熱用開口部は、前記第一基板収容部材及び／又は前記第二基板収容部材に対して貫通状に開口されており、前記放熱用開口部における内周面側に形成された開口面を内側開口面とし、外周面側に形成される開口面を外側開口面とした構成にあって、  前記不正行為防止手段は、前記放熱用開口部における前記内側開口面の開口方向と、前記外側開口面の開口方向とが異なる方向となるように定められた開口部構造であることが望ましい。
【００１９】
かかる構成は、第一基板収容部材及び／又は第二基板収容部材にあって、不正器具が放熱用開口部に挿入される際の挿入方向と該放熱用開口部から不正器具の先端が基板ケース内に突き出される際の方向とが異なるものとなるため、不正器具が実装部品に極めて到達しにくい構成となる。
【００２０】
また、前記放熱用開口部の周壁には、前記内側開口面から前記外側開口面にわたって形成されたリブが設けられており、該リブによって該放熱用開口部が複数の開口に区画形成されていてもよい。
【００２１】
かかる構成とすることにより、前記放熱用開口部における各開口の開口面積を所望の面積に適宜定めることが可能となるため、例えば放熱効果を向上させるべく放熱用開口部全体の総開口面積を広く定めた場合であっても、各開口の寸法を適正定めて遊技メダル等の物体が誤って当該開口から基板ケース内に入ってしまうことを防止することが可能となる。
【発明の効果】
【００２２】
本発明の遊技機用基板ケースは、隔壁部を設けて放熱重点空間を基板ケース内に区画形成するようにしたため、不正行為による被害の拡大を防止しつつ、該放熱重点空間を効果的に放熱することができる。
【図面の簡単な説明】
【００２３】
【図１】実施例にかかる遊技機１の全体斜視図である。
【図２】図１に示した遊技機１の扉３を取り外した内部を示す斜視図である。
【図３】基板ユニット１０の斜視図である。
【図４】図３に示した基板ユニット１０の分解斜視図である。
【図５】サブ基板ユニット１８の斜視図である。
【図６】図５に示したサブ基板ユニット１８の分解斜視図である。
【図７】カバー３９ａの取り付け構造を示す分解斜視図である。
【図８】図６に示したサブ基板ユニット１８を裏側から示す分解斜視図である。
【図９】サブ基板ケース２０を切断して示す拡大斜視図である。
【図１０】サブ基板ケース２０の縦断面を示す説明図であり、組み付け前の状態を示している。
【図１１】サブ基板ケース２０の縦断面を示す説明図であり、組み付け状態を示している。
【図１２】図９のＡ−Ａ線における断面を示し、特に空気の流れを示す説明図である。
【図１３】図９のＡ−Ａ線における断面を示し、特に空気の流れを示す説明図である。
【図１４】図９のＡ−Ａ線における断面を示し、特に不正器具の侵入態様を示す説明図である。
【図１５】変形例であって、隔壁部４０，５０の先端部を拡大して示す説明図である。
【発明を実施するための形態】
【００２４】
以下、本発明を具体化した実施例を詳細に説明する。なお、本発明は、下記に示す実施例の形態に限定されることはなく、適宜設計変更が可能である。ところで実施例を説明する際には、便宜上、前後方向、左右方向、及び上下方向を規定して説明する場合があるが、このことは、本発明が下記の実施例で定められた方向にのみ限定されて使用されるものではない。
【００２５】
図１に示すように、スロットマシンとしての遊技機１は、筐体２と、該筐体２にヒンジ機構を介して開閉可能に取り付けられた扉３とを備えている。
【００２６】
前記筐体２の内部には、図２等に示すように、表面に図柄が表示された回転体からなるリール１２が取り付けられている。一方、前記扉３には、表示パネル４及び中パネル５が設けられている。
【００２７】
前記表示パネル４には、ゲームの演出のための表示や各種情報が表示される。また、前記中パネル５は、前記筐体２内部のリール１２の前方に配置されており、該リール１２の図柄が視認可能となっている。さらに、該扉３には、遊技メダル投入口６、リール１２を回転させるためのスタートレバー７、及びリール１２を停止させるためのストップスイッチ８が設けられている。さらに、該扉３の下部には、遊技メダル払出口１４が設けられている。
【００２８】
次に、遊技機１の遊技方法について概説する。
まず、遊技者は、遊技メダル投入口６に遊技メダルを投入する。これにより、スタートレバー７が有効になる。遊技者がスタートレバー７を操作すると、遊技メダルの投入枚数が確定し、その投入枚数に応じた役抽選処理が行われ、リール１２の制御が開始する。続いて、リール１２が回転し、リール停止可能状態になると、ストップスイッチ８に配されたＬＥＤが点灯してストップスイッチ８が有効であることが報知される。上記した通り、該リール１２の回転は前記中パネル５を通して遊技者が視認可能とされているため、このストップスイッチ８の有効状態で、遊技者がストップスイッチ８を押すと、押したストップスイッチ８に対応する一つのリール１２が停止する。そして、３つのリール１２が全て停止したときに、有効ラインに揃った図柄の組み合わせに応じて遊技メダルが前記遊技メダル払出口１４から払い出される。
【００２９】
ところで、前記扉３を筐体２に対して開くと、図２に示したように該筐体２の前側が開放状態となり、点検、部品交換及び遊技メダル補充等の作業を行うことが可能となる。
【００３０】
図２に示すように、前記筐体２内の下部には電源ユニット１１が配置されている。該電源ユニット１１は、遊技機１の電気的制御のための電源を供給する機能を有している。これに対し、該筐体２内の上部には、基板ユニット１０が配置されている。該基板ユニット１０内には、該遊技機１の動作を制御するための種々の基板等が収容されている。また、前記リール１２の下方には、遊技メダルを払い出すための遊技メダル払出装置１３が配置されている。
【００３１】
次に、図３，４に従って、前記基板ユニット１０について説明する。
前記基板ユニット１０は、メイン基板ユニット１７（図４参照）とサブ基板ユニット１８（図３参照）とを備えている。そして、該メイン基板ユニット１７及び該サブ基板ユニット１８は、単一の基板ホルダー１６に固定されている。さらに、該メイン基板ユニット１７の全体と、該サブ基板ユニット１８の一部が、カバー１５によって覆われている。なお、該基板ホルダー１６にあって、後述するサブ基板ケース２０における基板ベース２２の放熱用開口部５４に対応する位置には、長孔状の貫通孔２９が複数設けられている。
【００３２】
また、前記メイン基板ユニット１７は、メイン基板ケース１９を具備し、該メイン基板ケース１９内にメイン基板（図示せず）が収容されている。同様に、前記サブ基板ユニット１８は、サブ基板ケース２０を具備し、該サブ基板ケース２０内にサブ基板３９（図６等参照）が収容されている。
【００３３】
次に、前記サブ基板ケース２０について詳述する。
図５等に示すように、該サブ基板ケース２０は、基板ベース２２と基板カバー２１とを有している。そして、該基板ベース２２と該基板カバー２１とが互いに組み付けられることにより、サブ基板３９が収容される。本実施例にあっては、サブ基板３９の表面（実装面）が基板カバー２１側となり、種々の電子部品が実装される。なお、本実施例におけるサブ基板ケース２０により、本発明にかかる遊技機用基板ケースが構成される。また、前記サブ基板３９により、本発明にかかる基板が構成される。さらに、本実施例における基板ベース２２により、本発明にかかる第一基板収容部材が構成され、基板カバー２１により、本発明にかかる第二基板収容部材が構成される。
【００３４】
また、前記サブ基板３９上には、図７に示すように、特に不正行為を阻止したい実装部品が配置される保護領域４３が定められている。該実装部品としては、演出抽選に関与するＲＯＭ等の抽選関与部品６２が例示される。具体的に該抽選関与部品６２には、サブ制御における遊技状態移行抽選やＡＴ抽選、あるいはＡＲＴ抽選を行う部品が含まれる。そして、該保護領域４３に当該抽選関与部品６２が配置され、該抽選関与部品６２が小型のカバー３９ａによって被覆されている。該カバー３９ａは、該保護領域４３を構成する基板と共にサブ基板３９に共締めされて固定されている。また、該カバー３９ａの四隅には、共締めするためのピンを囲繞するピン囲繞壁が設けられている。このように、サブ基板ケース２０内にさらに小型のカバー３９ａが二重に設けられ、かつピン囲繞壁が設けられることにより、演出抽選に関わる抽選関与部品６２に対してより一層不正行為を抑制することが可能となっている。
【００３５】
また、図６等に示すように、前記基板ベース２２は、略矩形状をなし、その各辺には、フランジ２２ａ，２２ｂ，２２ｃ，２２ｄが各々設けられている。一方、前記基板カバー２１も同様に略矩形状をなし、前記フランジ２２ａ，２２ｂ，２２ｃ，２２ｄに対応するように該基板カバー２１の各辺には凸部２１ａ，２１ｂ，２１ｃ，２１ｄが各々設けられている。そして、該基板ベース２２に該基板カバー２１が被着された際には、該基板ベース２２のフランジ２２ａ，２２ｂ，２２ｃ，２２ｄと該基板カバー２１の凸部２１ａ，２１ｂ，２１ｃ，２１ｄとがそれぞれ密着し、相互が接着剤等を介して固結される。
【００３６】
ところで、前記基板カバー２１の凸部２１ａ，２１ｂの先端面は、平坦面形状ではなく山谷が連続して設けられた鋸刃形状をなしており、あえて容易に変形又は傷付きやすい形状とされている。これにより、該基板カバー２１が不正行為を目的として強引に開けられた場合に、該凸部２１ａ，２１ｂにその痕跡が残りやすく、点検する者が容易に目視確認できるような構造が採用されている。
【００３７】
次に、本発明の要部について説明する。
前記サブ基板３９には、遊技抽選に関わらない非抽選関与部品４２ａも実装されている。具体的に該非抽選関与部品４２ａとしては、サブ制御における遊技状態移行抽選やＡＴ抽選、あるいはＡＲＴ抽選を行う部品以外の部品が該当し、例えば音源ＩＣや音を増幅させるアンプが例示される。特にこれらの音源ＩＣやアンプは、遊技機１の稼働中においてボーナス遊技期間だけではなく通常遊技期間においても駆動する部品であり、印加された状態で高熱を発する発熱素子（図示省略）が含まれている。そして、該サブ基板３９上において該非抽選関与部品４２ａの発熱素子の最高温度が、サブ基板３９上の他の部品における発熱素子の最高温度より高いものとなっている。これにより、該サブ基板３９上の領域に、発熱量が多い非抽選関与部品４２ａ等が実装される本発明にかかる発熱領域４２が定められている。
【００３８】
また、図８，図９，図１０に示すように、前記基板カバー２１の内周面には、隔壁部としての壁部４０が基板ベース２２側に向かって突設されている。また、図６，図７，図１０に示すように、該基板ベース２２の内周面には、隔壁部としての壁部５０が基板カバー２１側に向かって突設されている。
【００３９】
そして、図９，図１１に示すように、基板ベース２２と基板カバー２１とが組み付けられた際には、該基板カバー２１の壁部４０と該基板ベース２２の壁部５０とが共にサブ基板３９に向かって突出し、さらに該基板カバー２１の壁部４０の先端部が該サブ基板３９の表面に当接し、かつ、該基板ベース２２の壁部５０の先端部が該サブ基板３９の裏面に当接する。すなわち、該基板ベース２２に該基板カバー２１が被着された状態で、該壁部４０，５０が該サブ基板３９の表裏に臨み、該サブ基板３９が該壁部４０，５０によって表裏から挟持される。
【００４０】
さらに詳述すると、図１１に示すように、基板ベース２２側の壁部５０と、基板カバー２１側の壁部４０とは、サブ基板３９の基板面に直交する方向において互いに同一軸線上に配置されている。かかる構成とすることにより、各壁部４０，５０によって挟持されるサブ基板３９の曲げモーメントを可及的に抑制し、該サブ基板３９の歪みを防止できる。
【００４１】
また、本実施例にあっては、該基板ベース２２側の壁部５０の壁高さに比べて、該基板カバー２１側の壁部４０の壁高さの方が高くなるように寸法設定されている。これは、該サブ基板３９の表側に実装されている種々の実装部品の高さ（厚み）に起因するものであり、該実装部品と該基板カバー２１とが干渉してしまうことを避けるべく基板カバー２１の寸法形状が設定され、これに伴い該壁部４０の先端部がサブ基板３９に当接するように該壁部４０の壁高さが定められている。なお、このように基板カバー２１側の壁部４０の方が、基板ベース２２側の壁部５０よりも相対的に壁高さが高いため、座屈を防止するという強度確保の観点から、該壁部４０の根端部の幅長が、基板ベース２２側の壁部５０の根端部の幅長よりも相対的に幅広となるように寸法設定されている。
【００４２】
これと共に、前記該壁部４０，５０によって前記発熱領域４２を含む空間が当該サブ基板ケース２０の内部空間で区画形成され、この区画形成された空間は、サブ基板３９と、各壁部４０，５０と、基板ベース２２の外周壁２６又は基板カバー２１の外周壁２５とによって囲繞された閉塞状態の放熱重点空間３２として画定される。一方、サブ基板ケース２０内にあって放熱重点空間以外の空間には、前記保護領域４３が含まれており、抽選に関与する抽選関与部品６２（図１０等参照）が実装されている。
【００４３】
さらに、図９等に示すように、前記基板ベース２２における前記放熱重点空間３２に対応する部位には、貫通孔５５からなる放熱用開口部５４が設けられている。また、前記基板カバー２１における該放熱重点空間３２に対応する部位には、スリット状に開口した放熱用開口部５１が設けられている。そして、該放熱用開口部５１における内周面側に形成された開口面を内側開口面５２とし、外周面側に形成される開口面を外側開口面５３として、該内側開口面５２と該外側開口面５３とが通風空間３４を介して連通した構造が形成されている。
【００４４】
さらに、前記基板カバー２１の放熱用開口部５１には、図９等に示すように、不正行為防止手段としてのエアガイド３０が設けられている。該エアガイド３０は、該放熱用開口部５１における内側開口面５２の開口方向と外側開口面５３の開口方向とが異なる方向となる開口部構造を有し、具体的には、該基板カバー２１の表面に突設された外形をなし、前記外側開口面５３に向かうにつれて、前記サブ基板ケース２０の外側に傾斜した傾斜面３５（図１２参照）が形成されている。
【００４５】
かかる構成にあっては、サブ基板ケース２０の内部空間において放熱重点空間３２と該放熱重点空間以外の空間との間で空気の流通が極めて困難な構成となるため、該放熱重点空間３２で暖められた空気は、放熱重点空間以外の空間に流れることなく前記基板カバー２１の放熱用開口部５１もしくは前記基板ベース２２の放熱用開口部５４を介して外部へ放出され、これによって該発熱領域４２に配置された非抽選関与部品４２ａの発熱素子に対して放熱（冷却）効果が得られる。
【００４６】
さらに放熱用開口部５１における空気の流動態様について詳述する。
図１２に示すように、前記発熱領域４２に配置された非抽選関与部品４２ａから発せられる熱によって暖められた空気（矢印ａ）は放熱用開口部５１の外側開口面５３から外側空間３３へ放出される。また、該サブ基板３９内で温められた空気は上方へ向かうため、特に放熱用開口部５１の上側から温められた空気が放出され、下側からは新たな空気が放熱重点空間３２に流入することとなる（図１３参照）。したがって、全体として、放熱用開口部５１を介して放熱重点空間３２と外側空間３３との間で空気の流通が円滑に許容されている。
【００４７】
ここで、前記発熱領域４２を含む放熱重点空間３２に内在する空気は、前記基板ベースの壁部４０と前記基板カバー２１の壁部５０とによって該基板ケース２０における他の空間（例えば保護領域４３を含む空間）に流出しないため、サブ基板３９上の他の制御部品には該発熱領域４２で発生した熱の影響が極めて及びにくい。
【００４８】
また、図１１に示すように、前記放熱用開口部５１，５４から針金等の不正器具ｂが仮に侵入したとしても、壁部４０，５０により、基板ケース２０の内部空間において放熱重点空間３２と該放熱重点空間以外の他の空間とが遮断されているため、例えば保護領域４３に実装されている抽選関与部品６２に不正器具が到達してしまうことが好適に阻止されている。
【００４９】
また、前記基板カバー２１に設けられたエアガイド３０にあっては、内側開口面５２と外側開口面５３との開口方向が異なるため、図１４に示すように、不正器具ｂが仮に侵入しようとしたとしても、一旦傾斜面３５に当たりやすく、そのまま直線的に基板ケース２０内に侵入して目的の位置に到達することが困難となり、不正行為防止効果が飛躍的に向上している。なお、不正行為防止の効果は、傾斜面３５を傾斜の無い水平状態に近づけることにより、より高まる。一方、傾斜面３５の傾斜角度を大きくする（傾斜面３５を垂直状態に近づける）ことにより、空気が傾斜面３５に沿って上方に案内され易くなる効果が高まり、放熱効果が向上する。したがって、傾斜面３５の角度を適宜設定することにより、不正行為防止と放熱効果とを両立させることができる。
【００５０】
なお、放熱用開口部５１における外側開口面５３の開口方向は特に限定されないが、図９等に示すように、放熱重点空間３２で暖められた空気が順調に排出されるべく、本実施例のように前記内側開口面５２の開口よりも上側で上方に開口するように定めることが望ましい。かかる構成とすることにより、図１２に示すように、サブ基板ケース２０の放熱重点空間３２の空気が傾斜面３５に沿って上方に案内され易くなり、放熱効果が一層高まる。
【００５１】
次に、サブ基板ケース２０内への物体の侵入防止について説明する。
図２に示すように、扉３を開いて遊技機１の点検、部品交換及び遊技メダル補充等の作業を行う際に、何らかの物体が外側開口面５３を介してサブ基板ケース２０内に侵入してしまう可能性がある。このため本実施例では、図９等に示すように、前記エアガイド３０における内側開口面５２から外側開口面５３にわたってリブ３８を形成し、放熱用開口部５１の開口幅を小さくしてサブ基板ケース２０内への物体の侵入を防止している。
【００５２】
さらに詳述すると、図９に示すように、前記外側開口面５３はリブ３８により区画されて、一つのエアガイド３０に対して複数の開口を形成している。これと共に、前記通風空間３４も、リブ３８により複数の空間に仕切られる。このため、開口幅が所定寸法に制限されることになり、かかる所定寸法に応じてサブ基板ケース２０内への物体の侵入を防止することができる。なお、かかる構成にあっては、小さい幅Ｗのリブ３８で外側開口面５３を区画することができるため、外側開口面５３を遮蔽してしまう面積を可及的に小さくすることでき、サブ基板３９の放熱効果の低下を招くことがない。
【００５３】
リブ３８によって外側開口面５３が区画された構成は、基板ケース２０を樹脂成形品とすることで容易に実現可能である。また、外側開口面５３から侵入するおそれのある物体としては、例えば遊技メダルがあり、該遊技メダルの寸法に応じて、例えば各開口の幅長を２５ｍｍ以下にすることが好ましい。
【００５４】
これまでに述べたように、本実施例の遊技機１は、基板ベース２２及び基板カバー２１に壁部４０，５０が設けられると共に、放熱用開口部５１にエアガイド３０が設けられ、加えて該エアガイド３０にリブ３８が設けられているため、複数の不正行為防止策が施された構造となっており、不正行為に対する安全性が極めて高い。
【００５５】
本実施例にあっては、図１５に示すように、前記基板ベース２２及び前記基板カバー２１の壁部４０，５０の先端部が、先端側に凸となる曲面形状をなしていてもよい。かかる構成とすることにより、仮に、壁部４０，５０の起立方向がサブ基板３９の基板面に対して正確に垂直となっていない場合であったり、壁部４０，５０の壁高さに多少の寸法誤差が生じたりしていても、該サブ基板３９に対して該先端部が線接触しやすく、基板ベース２２、基板カバー２１あるいはサブ基板３９の製造時における寸法精度を効果的に緩和することが可能となる。
【００５６】
なお、これまでに述べた構成は、サブ基板３９が、基板ベース２２側の壁部５０と基板カバー２１側の壁部４０とで挟持されている構成であるが、各壁部４０，５０は必ずしも厳密にサブ基板３９に当接している必要はなく、放熱重点空間３２とそれ以外の空間との間の空気流通を実質的に困難なものとする機能を果たす限り、該壁部４０，５０とサブ基板３９とはわずかに離間していても問題ない。
【００５７】
また、本実施例にあっては、基板カバー２１の外周壁２５の一部、及び基板ベース２２の外周壁２６の一部が、放熱重点空間３２を画定するための壁部として機能しているが、かかる構成に限定されることはなく、放熱重点空間３２が壁部４０，５０のみで画定されていてもよい。また、放熱重点空間３２の形状は矩形状に限定されることはなく、発熱素子を含む実装部品の配置やエアガイド３０の配置等に応じて適宜定めることができる。
【００５８】
なお、本実施例にあって、前記基板ベース２２は、遊技機１の背面側に配される基板ホルダー１６に直接固結されるため、エアガイド３０等の不正行為防止手段を設ける必要性がさほど高くなく、貫通孔５５により放熱用開口部５４を構成すると共に、該基板ホルダー１６に前記貫通孔２９を設けて放熱効果を確保している。ただし、基板ベース２２の放熱用開口部５４に不正行為防止手段を適宜設けても勿論よい。なお、前記放熱用開口部５１，５４の開口構造は、上記実施例に限定されることはなく、前記基板ベース２２及び／又は前記基板カバー２１に対して貫通状に開口したものであれば別の開口構造が採用されていてもよい。
【００５９】
本実施例では、放熱用開口部５１，５４を、サブ基板ユニット１８を構成するサブ基板ケース２０に設けた例を示したが、これに限るものではなく、放熱用開口部５１，５４は、発熱素子を含む基板を収容する基板ケースに適宜設けることができる。また、本発明にかかる基板は、メイン基板であってもよく、該メイン基板に実装されている役抽選に関与しない非抽選関与部品４２ａが放熱重点空間３２に配置された構成であってもよい。
【００６０】
また、本発明にかかる不正行為防止手段としては、公知の不正行為防止構造を積極的に排除するものではない。
【００６１】
また、本実施例では、遊技機１としてスロットマシンの例を示したが、これに限るものではなく、本発明は、基板の放熱対策に加え、不正行為防止対策の必要となる遊技機に適用することができる。
【符号の説明】
【００６２】
１                              遊技機
２０                            サブ基板ケース（遊技機用基板ケース）
２１                            基板カバー（第二基板収容部材）
２２                            基板ベース（第一基板収容部材）
３０                            エアガイド（不正行為防止手段）
３２                            放熱重点空間
３３                            外側空間
３８                            リブ
３９                            サブ基板（基板）
４０                            壁部（隔壁部）
４２                            発熱領域
４２ａ                          非抽選関与部品
５０                            壁部（隔壁部）
５１                            放熱用開口部
５２                            内側開口面
５３                            外側開口面
５４                            放熱用開口部
５５                            貫通孔
【図１】
2015196099.tif 000003
【図２】
2015196099.tif 000004
【図３】
2015196099.tif 000005
【図４】
2015196099.tif 000006
【図５】
2015196099.tif 000007
【図６】
2015196099.tif 000008
【図７】
2015196099.tif 000009
【図８】
2015196099.tif 000010
【図９】
2015196099.tif 000011
【図１０】
2015196099.tif 000012
【図１１】
2015196099.tif 000013
【図１２】
2015196099.tif 000014
【図１３】
2015196099.tif 000015
【図１４】
2015196099.tif 000016
【図１５】
2015196099.tif 000017